(57)【要約】  本発明によって、ＤＨＣＰｖ４の環境下でのハンドオーバー方法、ハンドオーバー装置及び該ハンドオーバー方法が保存された情報記録媒体を提供する。本発明に係るＤＨＣＰｖ４の環境下でのハンドオーバー方法は、ＩＰアドレス貸与の迅速な承認をＤＨＣＰサーバに要請するステップと、要請に対する応答として、ＤＨＣＰサーバからＩＰアドレス貸与の承認を受信するステップとを含む。これにより、ＤＨＣＰの環境下でＩＰアドレス割当てにかかる時間を節約できる。
2007509566.tif 000002
【特許請求の範囲】
【請求項１】
ＤＨＣＰｖ４の環境下でのハンドオーバー方法において、
ＩＰアドレス貸与の承認をＤＨＣＰサーバに要請するステップと、
前記要請に対する応答として前記ＤＨＣＰサーバからＩＰアドレス貸与の承認を受信するステップとを含むことを特徴とするハンドオーバー方法。
【請求項２】
前記ＩＰアドレス貸与の承認は、提供されたＩＰアドレスを含むことを特徴とする請求項１に記載のハンドオーバー方法。
【請求項３】
前記要請ステップは、
前記ＩＰアドレス貸与の承認を要請する迅速応答識別子を含むＩＰアドレス貸与の要請を伝送するステップを含むことを特徴とする請求項１に記載のハンドオーバー方法。
【請求項４】
前記ＩＰアドレス貸与の承認は、迅速応答識別子を含むことを特徴とする請求項３に記載のハンドオーバー方法。
【請求項５】
前記ＩＰアドレス貸与の要請は、ＤＨＣＰＤＩＳＣＯＶＥＲメッセージであり、ＩＰアドレス貸与の承認は、ＤＨＣＰＡＣＫメッセージであることを特徴とする請求項３に記載のハンドオーバー方法。
【請求項６】
前記ＩＰアドレス貸与の要請は、ＤＨＣＰメッセージであり、前記迅速応答識別子は、前記ＤＨＣＰメッセージのオプションフィールドに記録されることを特徴とする請求項３に記載のハンドオーバー方法。
【請求項７】
ＤＨＣＰｖ４の環境下でクライアントでのハンドオーバー方法において、
メッセージに対する応答としてＩＰアドレス貸与の承認を要請する、サーバにより受信可能なメッセージを出力するステップを含むことを特徴とするハンドオーバー方法。
【請求項８】
前記ＩＰアドレス貸与の承認は、提供されたＩＰアドレスを含むことを特徴とする請求項７に記載のハンドオーバー方法。
【請求項９】
最初に受信されたＩＰアドレス貸与の承認の提供されたＩＰアドレスを利用して、クライアントに対応するノードとの連結を維持するステップをさらに含むことを特徴とする請求項８に記載のハンドオーバー方法。
【請求項１０】
前記メッセージ出力ステップは、
前記メッセージを放送するステップを含むことを特徴とする請求項７に記載のハンドオーバー方法。
【請求項１１】
前記メッセージは、ＩＰアドレス貸与の承認を要請するコードを含んでいるオプションフィールドを含み、前記ＩＰアドレス貸与の承認は、提供されたＩＰアドレスを含むことを特徴とする請求項７に記載のハンドオーバー方法。
【請求項１２】
ＤＨＣＰｖ４の環境下でのハンドオーバー方法において、
ＤＨＣＰクライアントからＩＰアドレス貸与を承認せよという要請を受信するステップと、
前記要請に応答して前記ＤＨＣＰクライアントにＩＰアドレス貸与の承認を伝送するステップと、を含むことを特徴とするハンドオーバー方法。
【請求項１３】
前記ＩＰアドレス貸与の承認は、提供されたＩＰアドレスを含むことを特徴とする請求項１２に記載のハンドオーバー方法。
【請求項１４】
前記受信ステップは、
前記ＩＰアドレス貸与の承認を要請する迅速応答識別子を含むＩＰアドレス貸与の要請を受信するステップを含むことを特徴とする請求項１２に記載のハンドオーバー方法。
【請求項１５】
前記ＩＰアドレス貸与の承認は、迅速応答識別子を含むことを特徴とする請求項１４に記載のハンドオーバー方法。
【請求項１６】
ＤＨＣＰｖ４の環境下でサーバのためのハンドオーバー方法において、
クライアントからＩＰアドレス貸与を承認せよという要請に応答して、ＩＰアドレス貸与の承認を出力するステップを含むことを特徴とするハンドオーバー方法。
【請求項１７】
前記ＩＰアドレス貸与の承認は、提供されたＩＰアドレスを含むことを特徴とする請求項１６に記載のハンドオーバー方法。
【請求項１８】
前記ＩＰアドレス貸与の承認を出力するステップは、
提供されたＩＰアドレスを含む前記ＩＰアドレス貸与の承認を出力するステップを含むことを特徴とする請求項１６に記載のハンドオーバー方法。
【請求項１９】
前記ＩＰアドレス貸与の承認は、前記ＩＰアドレス貸与の承認のための要請に対応するコードを含んでいるオプションフィールドを含み、前記ＩＰアドレス貸与の承認は、提供されたＩＰアドレスを含むことを特徴とする請求項１６に記載のハンドオーバー方法。
【請求項２０】
ＤＨＣＰｖ４の環境下のクライアントで使用されるハンドオーバー装置において、
ＩＰアドレス貸与の承認メッセージを応答メッセージとして受けることを要請する迅速応答識別子を含むＩＰアドレス貸与の要請メッセージを生成するメッセージ生成部と、
前記ＩＰアドレス貸与の承認メッセージを受信するメッセージ解釈部と、を備えることを特徴とするハンドオーバー装置。
【請求項２１】
前記ＩＰアドレス貸与の承認は、提供されたＩＰアドレスを含むことを特徴とする請求項２０に記載のハンドオーバー装置。
【請求項２２】
前記ＩＰアドレス貸与の要請は、サーバにより受信可能なメッセージであり、
前記ＩＰアドレス貸与の承認は、提供されたＩＰアドレスを含み、
前記メッセージ解釈部は、対応する提供されたＩＰアドレスを使用するためのＩＰアドレスとして得るために、最初に受信されたＩＰアドレス貸与の承認メッセージを解釈することを特徴とする請求項２０に記載のハンドオーバー装置。
【請求項２３】
前記メッセージ解釈部は、前記ＩＰアドレス貸与の承認メッセージを解釈することによって使用するＩＰアドレスを得ることを特徴とする請求項２０に記載のハンドオーバー装置。
【請求項２４】
ＤＨＣＰｖ４の環境でクライアントに使用するためのハンドオーバー装置において、
ＩＰアドレス貸与の承認をＤＨＣＰサーバに要請する手段と、
前記要請に対する応答として前記ＤＨＣＰサーバからＩＰアドレス貸与の承認を受信する手段とを備えることを特徴とするハンドオーバー装置。
【請求項２５】
ＤＨＣＰｖ４の環境下でサーバに使用するためのハンドオーバー装置において、
応答としてＩＰ貸与の承認を要請する迅速応答識別子が受信されたＩＰアドレス貸与の承認要請に含まれたか否かを決定するメッセージ解釈部と、
前記メッセージ解釈部により前記迅速応答識別子が前記ＩＰアドレス貸与の要請に含まれたならば、前記ＩＰアドレス貸与の承認を生成するメッセージ生成部とを備えることを特徴とするハンドオーバー装置。
【請求項２６】
前記ＩＰアドレス貸与の承認は、提供されたＩＰアドレスを含むことを特徴とする請求項２５に記載のハンドオーバー装置。
【請求項２７】
複数のＩＰアドレスを保存する貸与可能なＩＰアドレス保存部と、
前記メッセージ解釈部により前記ＩＰアドレス貸与の要請に前記迅速応答識別子が含まれていると決定されたならば、前記貸与可能なＩＰアドレス保存部に保存された前記複数のＩＰアドレスのうち、ＩＰアドレスを選択するＩＰアドレス選択部とをさらに備え、
前記メッセージ生成部は、前記提供されたＩＰアドレスとして前記ＩＰアドレスを前記ＩＰアドレス貸与の承認に記録することを特徴とする請求項２６に記載のハンドオーバー装置。
【請求項２８】
ＤＨＣＰｖ４の環境下のサーバで使用されるハンドオーバー装置において、
ＩＰアドレス貸与を承認せよという要請をＤＨＣＰクライアントから受信する手段と、
前記要請に対する応答として前記ＤＨＣＰクライアントにＩＰアドレス貸与の承認を伝送する手段とを備えることを特徴とするハンドオーバー装置。
【請求項２９】
ＤＨＣＰｖ４の環境下でのハンドオーバー方法を行うコンピュータで実行可能なインストラクションを含むコンピュータで読み取り可能な媒体において、前記方法は、
ＩＰアドレス貸与の承認をＤＨＣＰサーバに要請するステップと、
前記要請に対する応答として前記ＤＨＣＰサーバからＩＰアドレス貸与の承認を受信するステップとを含むことを特徴とするコンピュータで読み取り可能な媒体。
【請求項３０】
ＤＨＣＰｖ４の環境下でクライアントのためのハンドオーバー方法を行うコンピュータで実行可能なインストラクションを含むコンピュータで読み取り可能な媒体において、前記方法は、
メッセージに対する応答としてＩＰアドレス貸与の承認を要請する、サーバにより受信可能なメッセージを出力するステップを含むことを特徴とするコンピュータで読み取り可能な媒体。
【請求項３１】
ＤＨＣＰｖ４の環境下でハンドオーバー方法を行うコンピュータで実行可能なインストラクションを含むコンピュータで読み取り可能な媒体において、前記方法は、
ＩＰアドレス貸与を承認せよという要請をＤＨＣＰクライアントから受信するステップと、
前記要請に対する応答として前記ＤＨＣＰクライアントにＩＰアドレス貸与の承認を伝送するステップとを含むことを特徴とするコンピュータで読み取り可能な媒体。
【請求項３２】
ＤＨＣＰｖ４の環境下でサーバのためのハンドオーバー方法を行うコンピュータで実行可能なインストラクションを含むコンピュータで読み取り可能な媒体において、前記方法は、
クライアントからＩＰアドレス貸与を承認せよという要請に応答して、ＩＰアドレス貸与の承認を出力するステップを含むことを特徴とするコンピュータで読み取り可能な媒体。
【請求項３３】
ＤＨＣＰｖ４の環境下でクライアントのためのコンピュータシステムでハンドオーバー方法を具現する方法において、
要請に応答してＩＰアドレス貸与の承認を要請するＩＰアドレス貸与の要請を生成するようにメッセージ生成部を制御するステップと、
前記ＩＰアドレス貸与の承認を解釈することによって、使用するためのＩＰアドレスを抽出するメッセージ解釈部を制御するステップとを含むことを特徴とするハンドオーバーの具現方法。
【請求項３４】
ＤＨＣＰｖ４の環境下でサーバのためのコンピュータシステムでハンドオーバー方法を具現する方法において、
要請に対する応答としてＩＰアドレス貸与の承認が要請されたか否かを決定するために、受信されたＩＰアドレス貸与の要請を解釈するメッセージ解釈部を制御するステップと、
前記応答としてＩＰアドレス貸与の承認が要請されれば、提供されたＩＰアドレスを含む前記ＩＰアドレス貸与の承認を生成するメッセージ生成部を制御するステップとを含むことを特徴とするハンドオーバー方法。
【発明の詳細な説明】
【技術分野】
【０００１】
本発明は、高速のハンドオーバーに係り、さらに具体的には、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）ｖ４環境下でのハンドオーバー方法、ハンドオーバー装置及び該ハンドオーバー方法の保存された情報記録媒体に関する。
【背景技術】
【０００２】
ＤＨＣＰは、ネットワークマネージャが、組織内のネットワーク上でＩＰアドレスを中央で管理して割当てるようにするプロトコルである。そして、ＤＨＣＰｖ４とは、ＩＰｖ４アドレス体系の環境で使用されるＤＨＣＰを言う。インターネット上のＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）では、各コンピュータが固有なＩＰアドレスを有して初めてインターネットに接続できる。そして、組織でコンピュータユーザがインターネットに接続する時、ＩＰアドレスは、各コンピュータに必ず割当てられなければならない。ＤＨＣＰを使用しない場合には、各コンピュータごとにＩＰアドレスが手作業で入力されねばならず、もし、コンピュータがネットワークの他の部分に属する場所に移動すれば、新たなＩＰアドレスを入力せねばならない。しかし、ＤＨＣＰは、ネットワークマネージャが中央でＩＰアドレスを管理して割当て、コンピュータがネットワークの他の場所に接続された時に自動で新たなＩＰアドレスを送るようにする。
【０００３】
ＤＨＣＰは、所定のＩＰアドレスが一定の時間の間にのみそのコンピュータに有効にさせる“貸与”の概念を使用する。貸与時間は、ユーザが特定の場所でどれくらい長くインターネット接続が必要であるかによって変わり得る。ＤＨＣＰは、使用可能なＩＰアドレスの個数よりさらに多くのコンピュータがある場合にも、ＩＰアドレスの貸与時間を短縮させることによってネットワークを動的に再構成できる。
【０００４】
現在、ＷＬＡＮ（Ｗｉｒｅｌｅｓｓ  ＬＡＮ）等で使用されるアドレスの割当方法は、ＤＨＣＰであり、このようなＤＨＣＰを使用して自動でアドレスを割当てる。特に、ＷＬＡＮの場合には、アクセスポイントがＤＨＣＰサーバの機能を行い、接続するユーザにアドレスを割当てる。ユーザがＷＬＡＮの間を移動する場合、既存の連結を維持するために、移動したリンクで使用するアドレスを速く生成せねばならないが、現在のＤＨＣＰ動作は、長い時間を必要とする。これについては、図１を参照して説明する。
【０００５】
図１は、従来の技術によってＤＨＣＰ環境で行われる高速のハンドオーバー動作を説明するための概念図である。
【０００６】
システム１００は、アクセスルータ１１０、アクセスポイント１２０及びアクセスポイント１３０を備え、モバイルノード１４０が移動する時にアクセスポイント１３０と４回のメッセージ交換を通じてＤＨＣＰ動作を行う。
【０００７】
図１に示すシステムは、ＷＬＡＮ基盤のシステムであるので、ＩＰアドレスを要求するユーザに自動でアドレスを割当てるＤＨＣＰサーバの機能をアクセスポイントが行い、ＩＰアドレスを要求するユーザとしてＤＨＣＰサーバを探して、規定されたメッセージを通じてＩＰアドレスを要求するＤＨＣＰクライアントの機能をモバイルノードが行うと示されたが、ＤＨＣＰ機能を行うものは、モバイルノードに限定されるものではない。また、以下では、モバイルノード及びＤＨＣＰクライアントという用語を混用するが、ここで、モバイルノードとは、ＤＨＣＰクライアントの機能を行うモバイルノードを意味する。同様に、アクセスポイントとは、ＤＨＣＰサーバの機能を行うアクセスポイントを意味する。
【０００８】
モバイルノード１４０の移動によって、アクセスポイント１３０にＩＰアドレス貸与を要請するメッセージ１５０（ＤＨＣＰＤＩＳＣＯＶＥＲ）をマルチキャストで伝送すれば、これを受信した全てのアクセスポイントは、貸与可能なＩＰアドレスをのせてＩＰアドレス貸与を提供するメッセージ１６０（ＤＨＣＰＯＦＦＥＲ）をモバイルノードに送り、モバイルノードは、受信したＩＰアドレス貸与の提供メッセージのうち何れか一つを選択して、そのメッセージを送ったアクセスポイントにＩＰアドレス貸与を選択するメッセージ１７０（ＤＨＣＰＲＥＱＵＥＳＴ）を送り、これを受信したアクセスポイントは、選択したＩＰアドレスを貸与するという意味のＩＰアドレス貸与の承認メッセージ１８０（ＤＨＣＰＡＣＫ）を提供することによって、モバイルノードはＩＰアドレスを使用できる。
【０００９】
図２は、ＤＨＣＰ環境で使用されるＤＨＣＰパケットフォーマットを示す。
【００１０】
ＤＨＣＰパケット２００は、５４８バイトのＤＨＣＰメッセージ２１０を含む。そして、ＤＨＣＰメッセージ２１０は、ＯＰコード、ハードウェアタイプ、ハードウェアアドレス長など、多様な項目を含むが、特に、３１２バイトのオプションフィールド２２０に特定の機能を定義することによって、ＤＨＣＰメッセージが前記定義された機能を行わせ得る。
【００１１】
以下では、図３ないし図７を参照して、従来の技術によってＤＨＣＰ環境で行われる高速のハンドオーバー動作及び高速のハンドオーバー動作で使用されるＤＨＣＰメッセージを具体的に説明する。
ユーザ、すなわち、モバイルノードは、移動中（７１０）に新たなＩＰアドレスを設定するために、ＤＨＣＰサーバの位置及びＩＰアドレス情報についての要請をブロードキャストする（７２０）。ブロードキャストする理由は、自身のＩＰアドレスがまだ無く、また、ＤＨＣＰサーバのアドレスも知らないためである。
【００１２】
このようなＩＰアドレス貸与の要請は、ＤＨＣＰＤＩＳＣＯＶＥＲメッセージの形態で送り、図３に示すように、ＤＨＣＰＤＩＳＣＯＶＥＲメッセージ１５０の内容は、発信地ＩＰアドレス、受信地ＩＰアドレス、ハードウェアアドレスなどである。発信地ＩＰアドレスは、まだアドレスがないため、０.０.０.０となり、受信地ＩＰアドレスは、ブロードキャストであるので、２５５.２５５.２５５.２５５となり、ハードウェアアドレスは、自身のＭＡＣ（Ｍｅｄｉａ  Ａｃｃｅｓｓ  Ｃｏｎｔｒｏｌ）アドレスである。
【００１３】
次いで、ＩＰアドレス貸与の要請を受けたＤＨＣＰサーバ（もちろん、複数のＤＨＣＰサーバがあれば、全てのＤＨＣＰサーバがメッセージを受ける）は、ＤＨＣＰＤＩＳＣＯＶＥＲメッセージに対する応答としてＤＨＣＰＯＦＦＥＲメッセージで応答する（７３０）。
【００１４】
ＤＨＣＰＯＦＦＥＲメッセージ１６０の内容は、図４に示すように、ＤＨＣＰサーバのＩＰアドレスである発信地ＩＰアドレス、まだＩＰアドレスが割当てられていないので、ブロードキャストされる受信地ＩＰアドレス、クライアントに貸与できるＩＰアドレスを表す提供されたＩＰアドレス、クライアントが知らせたＭＡＣアドレスであるクライアントハードウェアアドレス、貸与できるＩＰのサブネットマスク、貸与ＩＰの貸与期間、ＤＨＣＰサーバのＩＰアドレスを表すサーバ区別子である。このメッセージもブロードキャストを使用するが、それは、まだクライアントにＩＰアドレスが割当てられていないためであり、ＤＨＣＰクライアントは、サーバから受けたＤＨＣＰＯＦＦＥＲメッセージのうち最初に到着したメッセージを選択する。
【００１５】
次いで、ＤＨＣＰクライアントは、受けた複数のＤＨＣＰＯＦＦＥＲメッセージのうち最初に到着したメッセージを選択して、ＤＨＣＰサーバにＤＨＣＰＲＥＱＵＥＳＴで応答するが（７４０）、このときにもブロードキャスト方式を使用する。その理由は、全てのＤＨＣＰサーバに知らせて初めてＩＰが重複割当てられることを防止できるためである。
【００１６】
図５に示すＤＨＣＰＲＥＱＵＥＳＴメッセージ１７０には、発信地ＩＰアドレス、受信地ＩＰアドレス、ＤＨＣＰクライアントであるＭＡＣアドレスであるハードウェアアドレス、ＤＨＣＰクライアントが選択したＩＰアドレスである要請するＩＰアドレス、このＩＰを貸与するとしたサーバのＩＰアドレスであるサーバ区別子である。ここで、発信地ＩＰアドレスは、まだクライアントのＩＰアドレスが確定されていないため、０.０.０.０と設定され、受信地ＩＰアドレスは、２５５.２５５.２５５.２５５であって、他の全てのＤＨＣＰサーバも一つのＩＰのみが選択されたということが分からねばならないので、ブロードキャストする。
【００１７】
ＤＨＣＰＲＥＱＵＥＳＴメッセージを受けたＤＨＣＰサーバは、クライアントにＤＨＣＰＡＣＫメッセージ形式で肯定の応答をブロードキャストする（７５０）。もちろん、このようなＤＨＣＰＡＣＫメッセージを送るＤＨＣＰサーバは、クライアントが選択したＩＰを貸与するとしたサーバのみであり、残りのＤＨＣＰサーバは、自身の貸与提供は選択されていないということが分かり、他のＤＨＣＰクライアントに貸与するためにＩＰを保管する。
【００１８】
図６に示すＤＨＣＰＡＣＫメッセージ１８０には、ＤＨＣＰサーバのＩＰアドレスである発信地ＩＰアドレス、受信地ＩＰアドレス、貸与するＩＰアドレスである提供されたＩＰアドレス、クライアントＭＡＣアドレスであるクライアントハードウェアアドレス、貸与するＩＰのサブネットマスク、貸与期間に関する情報が含まれる。受信地ＩＰアドレスは、２５５.２５５.２５５.２５５であって、クライアントがＤＨＣＰＡＣＫを受ける前にはまだＩＰは有効であると言えないので、ブロードキャストする。
【００１９】
これにより、ＤＨＣＰクライアントが肯定の応答を受ければ、ＴＣＰ／ＩＰが初期化され、かつバインディングされたＤＨＣＰクライアントとして見なされて、バインディング後にＴＣＰ／ＩＰを利用して通信できる（７５０）。
【００２０】
ところが、このような４回のメッセージ交換を通じたＤＨＣＰ動作でＩＰアドレスの割当を所望するユーザは、ＤＨＣＰＤＩＳＣＯＶＥＲメッセージをブロードキャストし、使用可能なＤＨＣＰサーバからＤＨＣＰＯＦＦＥＲメッセージを受け、これらのうち、所望のＤＨＣＰサーバの一つを選択して、再びＤＨＣＰＲＥＱＵＥＳＴメッセージを送って待った後、ＤＨＣＰＡＣＫメッセージを受信することによってＩＰアドレスを割当てられる。したがって、前記ＤＨＣＰ動作に要求される時間が非常に長いため、ユーザは、アドレス割当を受けていない状態で長い時間を待たねばならないという問題点がある。
【発明の開示】
【発明が解決しようとする課題】
【００２１】
本発明は、前記問題を解決して、ＤＨＣＰｖ４の環境でハンドオーバー時にＩＰアドレスの割当て時間を節約して、既存の連結を信頼できるように維持できるハンドオーバー方法、ハンドオーバー装置及び該ハンドオーバー方法が保存された情報記録媒体を提供することを目的とする。
【課題を解決するための手段】
【００２２】
前記と同じ課題を解決するための本発明の一つの特徴は、ＤＨＣＰｖ４の環境下でのハンドオーバー方法において、ＩＰアドレス貸与の迅速な承認をＤＨＣＰサーバに要請するステップと、前記要請に対する応答として前記ＤＨＣＰサーバからＩＰアドレス貸与の承認を受信するステップとを含むことである。前記ＩＰアドレス貸与の承認は、提供されたＩＰアドレスを含み得る。
【００２３】
前記要請ステップは、前記ＩＰアドレス貸与の承認を要請する迅速応答識別子を含むＩＰアドレス貸与の要請を伝送するステップを含み得る。前記ＩＰアドレス貸与の要請は、ＤＨＣＰメッセージであり、前記迅速応答識別子は、そのオプションフィールドに記録され得る。
【００２４】
前記ＩＰアドレス貸与の承認は、迅速応答識別子を含み得る。前記ＩＰアドレス貸与の要請は、ＤＨＣＰＤＩＳＣＯＶＥＲメッセージであり、ＩＰアドレス貸与の承認は、ＤＨＣＰＡＣＫメッセージでありうる。
【００２５】
本発明の他の特徴は、ＤＨＣＰｖ４の環境下でクライアントでのハンドオーバー方法において、メッセージに対する応答としてＩＰアドレス貸与の承認を要請する、サーバにより受信可能なメッセージを出力するステップを含むことである。前記ＩＰアドレス貸与の承認は、提供されたＩＰアドレスを含み得る。
【００２６】
前記方法は、最初に受信されたＩＰアドレス貸与の承認の提供されたＩＰアドレスを利用して、クライアントに対応するノードとの連結を維持するステップをさらに含み得る。
【００２７】
前記メッセージは、提供されたＩＰアドレスを含む前記ＩＰアドレス貸与の承認を要請するコードをオプションフィールドに含み得る。前記メッセージ出力ステップは、前記メッセージを放送するステップを含み得る。
【００２８】
本発明の他の特徴は、ＤＨＣＰｖ４の環境下でのハンドオーバー方法において、ＤＨＣＰクライアントからＩＰアドレス貸与を承認せよという要請を受信するステップと、前記要請に応答して前記ＤＨＣＰクライアントにＩＰアドレス貸与の承認を伝送するステップとを含むことである。
【００２９】
前記受信ステップは、前記ＩＰアドレス貸与の承認を要請する迅速応答識別子を含むＩＰアドレス貸与の要請を受信するステップを含み得る。前記ＩＰアドレス貸与の承認は、迅速応答識別子を含み得る。
【００３０】
本発明の他の特徴は、ＤＨＣＰｖ４の環境下でサーバのためのハンドオーバー方法において、クライアントからＩＰアドレス貸与を承認せよという要請に応答して、ＩＰアドレス貸与の承認を出力するステップを含むことである。
【００３１】
前記ＩＰアドレス貸与の承認を出力するステップは、提供されたＩＰアドレスを含むＩＰアドレス貸与の承認を出力するステップを含み得る。前記ＩＰアドレス貸与の承認を出力するステップは、前記ＩＰアドレス貸与の承認を放送するステップを含み得る。前記ＩＰアドレス貸与の承認は、前記ＩＰアドレス貸与の承認要請に対応するコードをオプションフィールドに含み得る。
【００３２】
本発明のさらに他の特徴は、ＤＨＣＰｖ４の環境下のクライアントで使用されるハンドオーバー装置において、ＩＰアドレス貸与の承認メッセージを応答メッセージとして受けることを要請することを表す迅速応答識別子を含むＩＰアドレス貸与の要請メッセージを生成するメッセージ生成部と、前記ＩＰアドレス貸与の承認メッセージを受信するメッセージ解釈部と、を備えることである。前記ＩＰアドレス貸与の承認は、提供されたＩＰアドレスを含み得る。前記メッセージ解釈部は、前記ＩＰアドレス貸与の承認メッセージを解釈することによって使用するＩＰアドレスが得られる。
【００３３】
前記ＩＰアドレス貸与の要請は、サーバにより受信可能なメッセージであり、前記ＩＰアドレス貸与の承認は、提供されたＩＰアドレスを含み、前記メッセージ解釈部は、対応する提供されたＩＰアドレスを使用するためのＩＰアドレスとして得るために、最初に受信されたＩＰアドレス貸与の承認メッセージを解釈できる。
【００３４】
本発明のさらに他の特徴は、ＤＨＣＰｖ４の環境でクライアントに使用するためのハンドオーバー装置において、ＩＰアドレス貸与の承認をＤＨＣＰサーバに要請する手段と、前記要請に対する応答として前記ＤＨＣＰサーバからＩＰアドレス貸与の承認を受信する手段とを備えることである。
【００３５】
本発明のさらに他の特徴は、ＤＨＣＰｖ４の環境下でサーバに使用するためのハンドオーバー装置において、応答としてＩＰ貸与の承認を要請する迅速応答識別子が受信されたＩＰアドレス貸与の承認要請に含まれたか否かを決定するメッセージ解釈部と、前記メッセージ解釈部により前記迅速応答識別子が前記ＩＰアドレス貸与の要請に含まれれば、前記ＩＰアドレス貸与の承認を生成するメッセージ生成部とを備えることである。前記ＩＰアドレス貸与の承認は、提供されたＩＰアドレスを含み得る。
【００３６】
前記装置は、複数のＩＰアドレスを保存する貸与可能なＩＰアドレス保存部と、前記メッセージ解釈部により前記ＩＰアドレス貸与の要請に前記迅速応答識別子が含まれていると決定されれば、前記貸与可能なＩＰアドレス保存部に保存された前記複数のＩＰアドレスのうち、ＩＰアドレスを選択するＩＰアドレス選択部をさらに備え、前記メッセージ生成部は、前記提供されたＩＰアドレスとして前記ＩＰアドレスを前記ＩＰアドレス貸与の承認に記録できる。
【００３７】
本発明のさらに他の特徴は、ＤＨＣＰｖ４の環境下のサーバで使用されるハンドオーバー装置において、ＩＰアドレス貸与を承認せよという要請をＤＨＣＰクライアントから受信する手段と、前記要請に対する応答として前記ＤＨＣＰクライアントにＩＰアドレス貸与の承認を伝送する手段と、を備えることである。
【００３８】
本発明のさらに他の特徴は、本発明のそれぞれに対してその方法を行うコンピュータで実行可能なインストラクションを含むコンピュータで読み取り可能な媒体である。
【００３９】
本発明のさらに他の特徴は、ＤＨＣＰｖ４の環境下でクライアントのためのコンピュータシステムでハンドオーバー方法を具現する方法において、要請に応答してＩＰアドレス貸与の承認を要請するＩＰアドレス貸与の要請を生成するようにメッセージ生成部を制御するステップと、前記ＩＰアドレス貸与の承認を解釈することによって、使用するためのＩＰアドレスを抽出するメッセージ解釈部を制御するステップとを含むことである。
【００４０】
本発明のさらに他の特徴は、ＤＨＣＰｖ４の環境下でサーバのためのコンピュータシステムでハンドオーバー方法を具現する方法において、要請に対する応答としてＩＰアドレス貸与の承認が要請されたか否かを決定するために、受信されたＩＰアドレス貸与の要請を解釈するメッセージ解釈部を制御するステップと、前記応答としてＩＰアドレス貸与の承認が要請されれば、提供されたＩＰアドレスを含む前記ＩＰアドレス貸与の承認を生成するメッセージ生成部を制御するステップとを含むことである。
【発明を実施するための最良の形態】
【００４１】
以下、添付された図８ないし図１３を参照して本発明を詳細に説明する。
【００４２】
図８は、本発明によってＤＨＣＰ環境で行われる高速のハンドオーバー動作を説明するための概念図である。図８に示すシステム８００は、アクセスルータ８１０、アクセスポイント８２０及びアクセスポイント８３０を備える。
【００４３】
従来のＤＨＣＰ動作では、モバイルノードが移動する時に新たなＩＰアドレスを得るための４回のメッセージ交換（ＤＨＣＰＤＩＳＣＯＶＥＲ、ＤＨＣＰＯＦＦＥＲ、ＤＨＣＰＲＥＱＵＥＳＴ、ＤＨＣＰＡＣＫ）とは異なり、本発明では、モバイルノード８４０が移動する時に２回のメッセージ交換（ＤＨＣＰＤＩＳＣＯＶＥＲ、ＤＨＣＰＡＣＫ）でＩＰアドレスを獲得する。
【００４４】
すなわち、モバイルノード８４０は、ＩＰアドレスの迅速な貸与承認を要請するメッセージ（ＤＨＣＰＤＩＳＣＯＶＥＲ）を送り、これを受信したアクセスポイント８３０は、ＩＰアドレス貸与提供メッセージの伝送なしに直ぐＩＰアドレス貸与の承認メッセージ（ＤＨＣＰＡＣＫ）をモバイルノードに送ることによって、従来の技術で要求された２回のメッセージ交換動作、すなわち、ＩＰアドレス貸与提供メッセージの伝送、及びＩＰアドレス貸与選択メッセージの伝送の動作を除去できる。
【００４５】
このような２回のメッセージ交換動作の省略は、モバイルノードがＩＰアドレス貸与の要請メッセージを送るとき、図２に示すようなＤＨＣＰメッセージ２００のオプションフィールド２２０を利用して迅速な応答を要請することによって行われる。すなわち、図８に示すように、モバイルノードがアクセスポイントに送るＩＰアドレス貸与の要請メッセージ、すなわち、ＤＨＣＰＤＩＳＣＯＶＥＲメッセージ８５０に迅速応答オプションフィールドを含めて伝送し、アクセスポイント８３０は、ＩＰアドレス貸与の要請メッセージに迅速応答オプションフィールドが含まれたことを確認すれば、貸与可能なＩＰアドレスを選択して、選択されたＩＰアドレス及び迅速応答オプションフィールドが含まれたＩＰアドレス貸与の承認メッセージ、すなわち、ＤＨＣＰＡＣＫメッセージ８６０をモバイルノードに伝送する。それにより、モバイルノードは、直ぐ受信されたＩＰアドレス貸与の承認メッセージからＩＰアドレスを使用できる。もちろん、モバイルノードがブロードキャストでＩＰアドレス貸与の要請メッセージを伝送することによって、これを受信した全てのアクセスポイントがＩＰアドレス貸与の承認メッセージをモバイルノードに送るが、モバイルノードは、例えば、最初に受信したＩＰアドレス貸与の承認メッセージを採択できる。
【００４６】
図９は、本発明によって迅速応答オプションフィールドを含むＩＰアドレス貸与の要請メッセージ８５０の構造を示す図である。図３に示すような既存のＩＰアドレス貸与の要請メッセージと同じであり、ただし、オプションフィールドを利用して迅速応答識別子を挿入することが異なる点である。
【００４７】
このような迅速応答オプションフィールドは、迅速応答識別子８５１及び長さ８５２を含む。迅速応答識別子８５１は、既存の一般的なＤＨＣＰ動作と異なり、迅速にＩＰアドレス貸与の承認を要請することを表すコードであり、このような迅速応答オプションに別途のデータフィールドは不要であるため、長さ８５２は０と設定する。
【００４８】
図１０は、本発明によって迅速応答オプションフィールドを含むＩＰアドレス貸与の承認メッセージ８６０の構造を示す図である。図６に示す既存のＩＰアドレス貸与の承認メッセージと同じであり、ただし、オプションフィールドを利用して迅速応答識別子を挿入することが異なる点である。ＩＰアドレス貸与の承認メッセージに含まれた迅速応答オプションフィールドは、ＩＰアドレス貸与の要請メッセージに含まれた迅速応答オプションフィールドと同様に、迅速応答識別子８６１及び長さ８６２を含む。
【００４９】
一方、本発明に係るＩＰアドレス貸与の承認メッセージ８６０の“提供されたＩＰアドレス”フィールドは、ＤＨＣＰサーバで任意選択した貸与ＩＰアドレスであり、図６に示す従来のＩＰアドレス貸与の承認メッセージ１８０に含まれた“提供されたＩＰアドレス”は、ＤＨＣＰクライアントが選択したＩＰアドレスという点で異なる。
【００５０】
図１１は、本発明によってＤＨＣＰ環境で行われる高速のハンドオーバー動作を示すフローチャートであり、図１２は、本発明によってＤＨＣＰクライアントで高速のハンドオーバーを行う装置の概略的なブロック図であり、図１３は、本発明によってＤＨＣＰサーバで高速のハンドオーバーを行う装置の概略的なブロック図である。
【００５１】
以下、図１１ないし図１３を参照して、本発明に係る高速のハンドオーバー動作及び装置を説明する。
【００５２】
図１２に示す前記ＤＨＣＰクライアントで使用されるハンドオーバー装置１２００は、メッセージ生成部１２１０及びメッセージ解釈部１２４０を備える。
【００５３】
メッセージ生成部１２１０は、ＩＰアドレス貸与の迅速な承認のために別途に設けられた迅速応答識別子、すなわち、迅速にＩＰアドレス貸与の承認の要請を表す迅速応答識別子をＩＰアドレス貸与の要請メッセージのオプションフィールドに挿入して、ＩＰアドレス貸与の要請メッセージ１２２０を生成する。
【００５４】
メッセージ解釈部１２４０は、ＤＨＣＰサーバからＩＰアドレス貸与の承認メッセージ１２３０を受信して、オプションフィールドに迅速応答識別子を含んでいるか否かを解釈し、ＩＰアドレス貸与の承認メッセージ１２３０からＩＰアドレスを抽出する。
【００５５】
図１３に示す前記ＤＨＣＰサーバで使用されるハンドオーバー装置１３００は、メッセージ解釈部１３１０、ＩＰアドレス選択部１３２０、貸与可能ＩＰアドレス保管部１３３０及びメッセージ生成部１３４０を備える。
【００５６】
メッセージ解釈部１３１０は、ＤＨＣＰクライアントからＩＰアドレス貸与の要請メッセージを受信すれば、オプションフィールドに迅速応答識別子が含まれているか否かを解釈する。受信したＩＰアドレス貸与の要請メッセージに迅速応答識別子が含まれていると解釈された場合に、ＩＰアドレス選択部１３２０は、貸与可能ＩＰアドレス保管部１３３０からＩＰアドレスを選択し、メッセージ生成部１３４０は、ＩＰアドレス貸与の承認メッセージに前記選択されたＩＰアドレスを記録し、また、ＩＰアドレス貸与の承認メッセージのオプションフィールドには、迅速応答識別子を挿入してＩＰアドレス貸与の承認メッセージ１２３０を生成する。
【００５７】
以下、前記のようなＤＨＣＰクライアントのハンドオーバー装置及びＤＨＣＰサーバのハンドオーバー装置によって行われるハンドオーバー動作を説明する。
【００５８】
ユーザの移動によって（１１１０）、ＤＨＣＰクライアントのメッセージ生成部は、迅速応答識別子が含まれたＤＨＣＰＤＩＳＣＯＶＥＲメッセージを生成してＤＨＣＰサーバに伝送することによって、ＩＰアドレス貸与を要請する（１１２０）。
【００５９】
それにより、これを受信したＤＨＣＰサーバのメッセージ解釈部１３１０は、ＤＨＣＰクライアントからＩＰアドレス貸与の要請メッセージを解釈して、オプションフィールドに迅速応答識別子が含まれているか否かを確認し、確認結果、迅速応答識別子が含まれていると解釈された場合に、ＩＰアドレス選択部１３２０は、貸与可能ＩＰアドレス保管部１３３０からＩＰアドレスを選択する。そして、メッセージ生成部１３４０は、ＩＰアドレス貸与の承認メッセージに前記選択されたＩＰアドレスを記録し、また、ＩＰアドレス貸与の承認メッセージのオプションフィールドには迅速応答識別子を挿入して、ＩＰアドレス貸与の承認メッセージ１２３０を生成してＤＨＣＰクライアントに伝送することによって、ＤＨＣＰクライアントにＩＰアドレス貸与を承認する（１１３０）。
【００６０】
ＩＰアドレス貸与の承認メッセージを受信したＤＨＣＰクライアントのメッセージ解釈部１２４０は、ＩＰアドレス貸与の承認メッセージ１２３０のオプションフィールドに迅速応答識別子が含まれているか否かを解釈し、ＩＰアドレス貸与の承認メッセージ１２３０からＩＰアドレスを抽出して、承認されたＩＰアドレスを使用する（１１４０）。
【００６１】
一方、前述したハンドオーバー方法は、コンピュータで実行されるコンピュータプログラムで作成され得る。そのコンピュータプログラムを構成するコード及びコードセグメントは、当業界のコンピュータプログラマーにより容易に推論され得る。また、前記プログラムは、コンピュータで読み取り可能な情報記録媒体に保存され、コンピュータによって読み取られ、かつ実行されることによって、前記ハンドオーバー方法を具現する。前記情報記録媒体は、磁気記録媒体、光記録媒体及びキャリアウェーブ媒体を含む。
【００６２】
また、以上では、ＷＬＡＮ、すなわち、無線を中心に説明したが、本発明に係るハンドオーバー方法は、これに限定されず、有線及び無線の何れの分野にも適用され得るということは、本発明が属する技術分野の当業者ならば十分に理解できるであろう。
【産業上の利用可能性】
【００６３】
本発明によれば、従来のＤＨＣＰｖ４の環境でハンドオーバー動作のために要求された４回のメッセージ交換を２回のメッセージ交換により処理することによって、ハンドオーバー動作時にＩＰアドレスの割当てにかかる時間を節約して、既存の連結を信頼できるように維持できる。
【図面の簡単な説明】
【００６４】
【図１】従来の技術によってＤＨＣＰ環境で行われる高速のハンドオーバー動作を説明するための概念図である。
【図２】ＤＨＣＰ環境で使用されるＤＨＣＰパケットフォーマットを示す図である。
【図３】ＤＨＣＰ環境で使用されるＤＨＣＰＤＩＳＣＯＶＥＲメッセージの構造図である。
【図４】ＤＨＣＰ環境で使用されるＤＨＣＰＯＦＦＥＲメッセージの構造図である。
【図５】ＤＨＣＰ環境で使用されるＤＨＣＰＲＥＱＵＥＳＴメッセージの構造図である。
【図６】ＤＨＣＰ環境で使用されるＤＨＣＰＡＣＫメッセージの構造図である。
【図７】従来の技術によってＤＨＣＰ環境で行われる高速のハンドオーバー動作のフローチャートである。
【図８】本発明によってＤＨＣＰ環境で行われる高速のハンドオーバー動作を説明するための概念図である。
【図９】本発明によってＤＨＣＰ環境で使用されるＤＨＣＰＤＩＳＣＯＶＥＲメッセージの構造図である。
【図１０】本発明によってＤＨＣＰ環境で使用されるＤＨＣＰＡＣＫメッセージの構造図である。
【図１１】本発明によってＤＨＣＰ環境で行われる高速のハンドオーバー動作のフローチャートである。
【図１２】本発明によってＤＨＣＰ環境で高速のハンドオーバーを行うＤＨＣＰクライアント装置の概略的なブロック図である。
【図１３】本発明によってＤＨＣＰ環境で高速のハンドオーバーを行うＤＨＣＰサーバ装置の概略的なブロック図である。
【図１】
2007509566.tif 000003
【図２】
2007509566.tif 000004
【図３】
2007509566.tif 000005
【図４】
2007509566.tif 000006
【図５】
2007509566.tif 000007
【図６】
2007509566.tif 000008
【図７】
2007509566.tif 000009
【図８】
2007509566.tif 000010
【図９】
2007509566.tif 000011
【図１０】
2007509566.tif 000012
【図１１】
2007509566.tif 000013
【図１２】
2007509566.tif 000014
【図１３】
2007509566.tif 000015
【国際調査報告】
2007509566.tif 000016
2007509566.tif 000017